(57)【要約】【課題】電動モータを駆動源とする打ち込み機構を備え、電源としてバッテリパックを取り付ける形態の電動式の打ち込み工具において、従来打ち込みに必要な出力に比してバッテリパックの出力電圧が不足していたため充電若しくは交換する頻度が高く、その間打ち込み作業を中断する必要があり、この点で当該打ち込み工具の作業性及び操作性が損なわれている。本発明では、電動式の打ち込み工具の作業性及び操作性を高めることを目的とする。【解決手段】ハンドル部３の下部であって、打ち込み作業の邪魔にならない部位に、複数個のバッテリパック３１を取り付け可能な構成とする。複数個のバッテリパック３１を電気的に直列に接続して合計電圧を出力することにより、バッテリパック３１の持ちを長くして当該打ち込み工具１の作業性及び操作性を高めることができる。【選択図】図２
2016203292.tif 000002
【特許請求の範囲】
【請求項１】
工具本体部に、電動モータを駆動源として打ち込み動作を行う打ち込み機構を内装した打ち込み工具であって、前記電動モータの電源として複数個のバッテリパックを取り付け可能な打ち込み工具。
【請求項２】
請求項１記載の打ち込み工具であって、前記工具本体部から側方へ突き出すハンドル部を備え、該ハンドル部の下部に前記複数個のバッテリパックを取り付け可能な打ち込み工具。
【請求項３】
請求項２記載の打ち込み工具であって、前記ハンドル部の下部に前記複数個のバッテリパックを取り付けるためのバッテリベース部を備え、該バッテリベース部は左右側方に張り出して設けられており、該バッテリベース部に、前記複数個のバッテリパックを、それぞれの側面を相互に向かい合わせた左右方向に横並び姿勢で取り付け可能な打ち込み工具。
【請求項４】
請求項２記載の打ち込み工具であって、前記ハンドル部の下部に前記複数個のバッテリパックを取り付けるためのバッテリベース部を備え、該バッテリベース部は前後方向に張り出して設けられており、該バッテリベース部に、前記複数個のバッテリパックを、それぞれの側面を相互に向かい合わせた前後方向に横並び姿勢で取り付け可能な打ち込み工具。
【請求項５】
請求項２記載の打ち込み工具であって、前記ハンドル部の下部に前記複数個のバッテリパックを取り付けるためのバッテリベース部を備え、該バッテリベース部は当該ハンドル部の長手方向に延びており、該バッテリベース部の左右側部に、前記複数個のバッテリパックを、それぞれの上面を相互に向かい合わせた横倒し姿勢で取り付け可能な打ち込み工具。
【請求項６】
請求項１記載の打ち込み工具であって、前記複数個のバッテリパックを、前記工具本体部の左右側部にそれぞれの上面を相互に向かい合わせた横倒し姿勢で取り付け可能な打ち込み工具。
【請求項７】
請求項１記載の打ち込み工具であって、前記工具本体部の打ち込みノーズ部に対して打ち込み具を供給するためのマガジンを備えており、前記複数個のバッテリパックを、前記マガジンの打ち込み具送り方向に並べて該マガジンに取り付け可能な打ち込み工具。
【請求項８】
請求項１〜７の何れか１項に記載した打ち込み工具であって、前記打ち込み機構は、前記電動モータにより回転するフライホイールと、該フライホールの回転動力を打ち込み具打撃用の打撃ドライバに伝達するオン位置と、伝達しないオフ位置との間を移動する駆動ローラと、該駆動ローラを前記オン位置と前記オフ位置との間で移動させるアクチュエータを備えた打ち込み工具。
【発明の詳細な説明】
【技術分野】
【０００１】
この発明は、電動モータを駆動源として内装する電動式の打ち込み工具に関する。
【背景技術】
【０００２】
下記の特許文献には電動式の打ち込み工具に関する技術が開示されている。この電動式打ち込み工具は、電動モータにより回転するフライホイールと、該フライホイールの回転動力をピニオンギヤに対して伝達、遮断するクラッチ機構と、ピニオンギヤの噛み合いにより打ち込み方向に沿って往復動するプランジャと、プランジャに一体に設けられた打ち込みドライバを備えた構成となっている。係る電動式の打ち込み工具は、バッテリパックを電源として装着可能な構成を備えている。
【先行技術文献】
【特許文献】
【０００３】
【特許文献１】特許第４５０５８１８号公報
【発明の概要】
【発明が解決しようとする課題】
【０００４】
従来の電動式の打ち込み工具は、バッテリパックの出力電圧が打ち込み動作に必要な出力に比して不足していた結果、バッテリパックの持ち（容量）が比較的短時間であった。このため、長時間の打ち込み作業では、度々バッテリパックを取り外して充電し、若しくは別のバッテリパックに交換しなければならず、この点で打ち込み工具の作業性が損なわれる問題があった。
【０００５】
本発明は、係る電動式の打ち込み工具の作業性を高めることを目的とする。
【課題を解決するための手段】
【０００６】
上記の課題は以下の各発明により解決される。第１の発明は、工具本体部に、電動モータを駆動源として打ち込み動作を行う打ち込み機構を内装した打ち込み工具である。第１の発明では、電動モータの電源として複数個のバッテリパックを取り付け可能とする構成を備えている。
【０００７】
第１の発明によれば、電動モータの電源として複数個のバッテリパックを取り付けることができるので、従来１つのバッテリパックを電源とする構成に比してより多くの電力（大きな出力電圧）を供給することができ、また、同等の電力であればより長時間にわたって電力供給できるようになる。このように打ち込み動作に必要な出力に見合った電力を出力できる結果、電源の持ちが大幅に長くなるため、当該バッテリパックの充電や交換の頻度を少なくすることができ、これにより当該打ち込み工具の連続使用時間が長くなってその作業性を高めることができる。
【０００８】
第２の発明は、第１の発明において、工具本体部から側方へ突き出すハンドル部を備え、このハンドル部の下部に複数個のバッテリパックを取り付け可能な打ち込み工具である。
【０００９】
第２の発明によれば、ハンドル部の下部に複数個のバッテリパックが取り付けられることから当該ハンドル部を使用者が把持する際に邪魔になることがなく、当該打ち込み工具の作業性が阻害されることがない。
【００１０】
第３の発明は、第２の発明において、ハンドル部の下部に複数個のバッテリパックを取り付けるためのバッテリベース部を備えている。第３の発明では、バッテリベース部は左右側方に張り出して設けられている。このバッテリベース部に、複数個のバッテリパックを、それぞれの側面を相互に向かい合わせた左右方向に横並び姿勢で取り付け可能な構成となっている。
【００１１】
第３の発明によれば、ハンドル部の下部における工具本体部の機長方向のコンパクト性を大きく損なうことがない。また、複数個のバッテリパックは、ハンドル部の下部に取り付けられるので使用者が当該ハンドル部を把持する際に邪魔になることがなく、この点でも当該打ち込み工具の作業性を損なうことがない。
【００１２】
第３の発明の場合、複数個のバッテリパックをそれぞれの側面を相互に向かい合わせた横並び姿勢であってその前後をそろえた姿勢（同じ向き）で取り付ける構成とする他、前後を逆にした逆向きの横並び姿勢で状態に取り付ける構成としてもよい。
【００１３】
第４の発明は、第２の発明において、ハンドル部の下部に複数個のバッテリパックを取り付けるためのバッテリベース部を備えている。第４の発明では、バッテリベース部は前後方向に張り出して設けられている。このバッテリベース部に、複数個のバッテリパックを、それぞれの側面を相互に向かい合わせた前後方向に横並び姿勢で取り付け可能な構成となっている。
【００１４】
第４の発明によれば、ハンドル部の下部における工具本体部の幅方向のコンパクト性を大きく損なうことがない。また、第３の発明と同様、複数個のバッテリパックがハンドル部の下部に取り付けられるので使用者が当該ハンドル部を把持する際に邪魔になることがなく、この点で当該打ち込み工具の作業性を損なうことがない。
【００１５】
第４の発明の場合、複数個のバッテリパックをそれぞれの側面を向かい合わせた横並び姿勢であってその前後を揃えた姿勢（同じ向き）で取り付ける構成とする他、前後を逆にした逆向きの横並び姿勢で取り付ける構成としてもよい。
【００１６】
第５の発明は、第２の発明において、ハンドル部の下部に複数個のバッテリパックを取り付けるためのバッテリベース部を備えている。第５の発明では、バッテリベース部は当該ハンドル部の長手方向に延びている。このバッテリベース部の左右側部に、複数個のバッテリパックを、それぞれの上面を相互に向かい合わせた横倒し姿勢で取り付け可能な構成となっている。
【００１７】
第５の発明によれば、第３又は第４の発明と同様、複数個のバッテリパックがハンドル部の下部に取り付けられるので使用者が当該ハンドル部を把持する際に邪魔になることがなく、この点で当該打ち込み工具の作業性を損なうことがない。また、第３又は第４の発明の場合、複数個のバッテリパックを横並び姿勢に取り付ける必要上、側方へ張り出すバッテリベース部を設ける必要があるが、第５の発明によれば、係るバッテリベース部を側方へ張り出して設ける必要がなく、この点で第５の発明によれば、少なくともバッテリパックを取り外した状態におけるハンドル部の側方へのコンパクト性を確保することができる。
【００１８】
第５の発明によれば、複数個のバッテリパックは、上面を相互に向かい合わせた横倒し姿勢であって、打ち込み方向（工具本体部の機長方向）を取り付け、取り外し方向とする横向き、ハンドル部の長手方向を取り付け、取り外し方向とする縦向きに取り付ける構成とすることができる。
【００１９】
第６の発明は、第１の発明において、複数個のバッテリパックを、工具本体部の左右側部にそれぞれの上面を相互に向かい合わせた横倒し姿勢で取り付け可能な打ち込み工具である。
【００２０】
第６の発明によれば、比較的重量の大きなバッテリパックにより打ち込み時の反動を抑制することができ、この点で当該打ち込み工具の作業性を高めることができる。
【００２１】
第７の発明は、第１の発明において、工具本体部の打ち込みノーズ部に対して打ち込み具を供給するためのマガジンを備えており、複数個のバッテリパックを、マガジンの打ち込み具送り方向に並べてマガジンに取り付け可能な打ち込み工具である。
【００２２】
第７の発明によれば、比較的平坦な部位であるマガジンの側部を活用して複数個のバッテリパックを効率よく取り付けることができる。
【００２３】
第８の発明は、第１〜第７の何れか一つの発明において、打ち込み機構は、電動モータにより回転するフライホイールと、フライホールの回転動力を打ち込み具打撃用の打撃ドライバに伝達するオン位置と、伝達しないオフ位置との間を移動する駆動ローラと、駆動ローラをオン位置とオフ位置との間で移動させるアクチュエータを備えた打ち込み工具である。
【００２４】
第８の発明によれば、係るフライホイール式の電動打ち込み工具についてバッテリパックの持ちを長くしてその作業性を高めることができる。
【図面の簡単な説明】
【００２５】
【図１】第１実施形態に係る打ち込み工具の全体側面図である。本図では、バッテリパックの左側面３１Ｌが見えている。
【図２】図１の(II)矢視図であって、第１実施形態に係る打ち込み工具の後面図である。本図では、バッテリパックの後面３１Ｂが見えている。
【図３】図１の(III)矢視図であって、バッテリ取り付け部を下側から見た図である。
【図４】バッテリパック単体の斜視図である。
【図５】図４の(V)矢視図であって、バッテリパックの上面図である。
【図６】図４の(VI)矢視図であって、バッテリパックの後面図である。
【図７】打ち込み機構の動作状態を示す図である。本図は、駆動ローラがオフ位置に位置する打ち込み待機状態を示している。
【図８】打ち込み機構の動作状態を示す図である。本図は、駆動ローラがオン位置に移動した打ち込み時の状態を示している。
【図９】第２実施形態に係る打ち込み工具の全体側面図である。本図では、バッテリパックの後面３１Ｂ及びアンロックボタン３１ｆが見えている。
【図１０】図９の(X)矢視図であって、第２実施形態に係る打ち込み工具の後面図である。本図では、バッテリパックの右側面３１Ｒが見えている。
【図１１】第３実施形態に係る打ち込み工具の全体側面図である。本図では、バッテリパックの下面３１Ｄが見えている。
【図１２】図１１の(XII)矢視図であって、第３実施形態に係る打ち込み工具の後面図である。本図では、左右のバッテリパックのそれぞれ後面３１Ｂ及びアンロックボタン３１ｆが見えている。
【図１３】第４実施形態に係る打ち込み工具の全体側面図である。本図では、バッテリパックの下面３１Ｄが見えている。
【図１４】図１３の(XIV)矢視図であって、第４実施形態に係る打ち込み工具の上面図である。本図では、左側のバッテリパックの左側面３１Ｌが見え、右側のバッテリパックの右側面３１Ｒが見えている。
【図１５】図１３の(XV)矢視図であって、第４実施形態に係る打ち込み工具の後面図である。本図では、左右のバッテリパックのそれぞれ後面３１Ｂ及びアンロックボタン３１ｆが見えている。
【図１６】第５実施形態に係る打ち込み工具の全体側面図である。本図では、バッテリパックの下面３１Ｄが見えている。
【図１７】図１６の(XVII)矢視図であって、第５実施形態に係る打ち込み工具の前面図である。本図では、バッテリパックの左側面３１Ｌが見えている。
【発明を実施するための形態】
【００２６】
次に、本発明の実施形態を図１〜図１７に基づいて説明する。図１に示すように第１実施形態の打ち込み工具１は、電動式の打ち込み機構１０を内装した工具本体部２と、使用者が把持するハンドル部３と、打ち込み具が打ち出される打ち込みノーズ部４と、多数本の打ち込み具を装填可能なマガジン５を備えている。以下説明する各実施形態は、主として打ち込み機構１０の電源として取り付け可能なバッテリパック３１の取り付け形態について特徴を有している。打ち込み機構１０等の基本的構成については各実施形態に共通な構成であり、それぞれ従来構成に比して特に変更を要しないことから詳細な説明については省略する。
【００２７】
図７及び図８に打ち込み機構１０の大まかな構成が示されている。打ち込み機構１０は電動モータ１１を駆動源としている。電動モータ１１の出力軸に駆動ホイール１２が取り付けられている。駆動ホイール１２の回転動力はベルト１３を介してフライホール１４に伝達される。駆動ホイール１２とフライホイール１４は相互に平行な回転軸線回りに回転可能に支持されている。図中矢印で示すようにフライホイール１４は時計回り方向に回転する。電動モータ１１は、図示省略した待機スイッチのオン操作により起動する。
【００２８】
工具本体部２の中央には、打ち込み具ｎを打撃するための打撃ドライバ１５が打ち込み軸線Ｊに沿って上下に往復動可能に配置されている。打撃ドライバ１５は、図示省略した圧縮ばねにより図７に示す待機位置（初期位置）へ移動する方向に付勢されている。打撃ドライバ１５の下動端位置は、その上部が下死点ダンパ１６に当接することにより規制される。
【００２９】
打撃ドライバ１５とフライホイール１４との間に、駆動ローラ１７が配置されている。駆動ローラ１７は、電磁アクチュエータ１８の出力ロッドに回転自在に支持されている。駆動ローラ１７は、電磁アクチュエータ１８の作動により上下に変位する。図７に示すように駆動ローラ１７が下側のオフ位置に位置した状態では、駆動ローラ１７はフライホイール１２から離間した状態となる。このため、フライホイール１４の回転動力が打撃ドライバ１５に伝達されない待機状態となる。
【００３０】
これに対して図８に示すように駆動ローラ１７が電磁アクチュエータ１８の起動（通電）により上側のオン位置に移動すると、フライホイール１４と打撃ドライバ１５の間に食い込んだ状態となる。打撃ドライバ１５は、駆動ローラ１７とは反対側に配置した２つの受けローラ１９に当接されている。このため、駆動ローラ１７が、電磁アクチュエータ１８の駆動力によりフライホイール１４と打撃ドライバ１５との間に食い込まれることにより発生する摩擦力によって打撃ドライバ１５に対して打ち込み具に対する打ち込み力が伝達される。
【００３１】
電磁アクチュエータ１８の起動は、ハンドル部３の基部に設けたトリガ形式のスイッチレバー６を指先で引き操作することによりなされる。電磁アクチュエータ１８は通電によりその出力ロッドを上方へ引き込むオン位置側に起動する一方、通電を遮断すると内蔵したばねによりその出力ロッドを下方へ突き出したオフ位置側に移動する。
【００３２】
電磁アクチュエータ１８が起動して駆動ローラ１７がフライホイール１４と打撃ドライバ１５との間に挟み込まれることにより、フライホイール１４の回転動力が駆動ローラ１７を介して打撃ドライバ１５に伝達される。駆動ローラ１７がオン位置に移動した瞬間に、打撃ドライバ１５がフライホイール１４の回転動力により下動する。打撃ドライバ１５が打ち込みノーズ部４の打ち込み通路内を下動することにより、打ち込み具ｎの頭部が打撃される。打撃ドライバ１５で打撃された１本の打ち込み具ｎは、打ち込みノーズ部４の先端（射出口）から打ち出されて打ち込み材Ｗに打ち込まれる。
【００３３】
打ち込み具ｎの打ち込み後、スイッチレバー６の引き操作を解除すると、電磁アクチュエータ１８に対する電源供給が遮断される。電源供給が遮断されると、電磁アクチュエータ１８はオフする。電磁アクチュエータ１８がオフすると、駆動ローラ１７がばね力によりオフ位置に戻される。駆動ローラ１７は打撃ドライバ１５に摺接しつつ下動してオフ位置に戻されると、フライホイール１４から離間する。駆動ローラ１７がフライホイール１４から離間することにより、打撃ドライバ１５に対する打ち込み方向への駆動力が解除されるため、打撃ドライバ１５は図示省略した圧縮ばねの付勢力により図７に示す上死点（初期位置）に戻される。電動モータ１１の起動状態のまま、再度スイッチレバー６を引き操作することにより駆動ローラ１７がオン位置に移動して打ち込み動作がなされる。
【００３４】
電動モータ１１及び電磁アクチュエータ１８に対する電力はバッテリパック３１から供給される。図１及び図２に示すようにハンドル部３の下部に主として左右方向に張り出す平板形状のバッテリベース部（第１バッテリベース部３０）が一体に設けられている。この第１バッテリベース部３０の下面に２つのバッテリ取り付け部３２が設けられている。この２つのバッテリ取り付け部３２のそれぞれにバッテリパック３１が取り付けられている。図３にバッテリ取り付け部３２の詳細が示されている。
【００３５】
図３に示すように２つのバッテリ取り付け部３２は、工具本体部２の左右幅方向に横並び姿勢で配置されている。２つのバッテリ取り付け部３２は、相互に同様の構成を備えている。また、両バッテリ取り付け部３２，３２は、電気的に相互に直列に接続されている。バッテリ取り付け部３２には、左右一対のレール部３２ａが設けられている。両レール部３２ａ間には、正負の接続端子３２ｂ，３２ｃが配置されている。両バッテリ取り付け部３２の後部側には、バッテリパック３１のロック爪３１ｅ（図４参照）が嵌り込む係合凹部３２ｄが設けられている。
【００３６】
バッテリパック３１は、概ね６面を有する直方体形状のバッテリケース内に複数本のセルを収容したリチウムイオンバッテリで、本実施形態では出力電圧が１８Ｖ仕様のものを取り付けることができる。このバッテリパック３１は、電動ねじ締め機等の他の電動工具の電源としても利用されるスライド取り付け形式のバッテリで、当該打ち込み工具１との間で使い回す（流用する）ことができる。また、バッテリパック３１は、バッテリ取り付け部３２から取り外して、別途用意した充電器で充電することにより繰り返し電源として利用することができる。
【００３７】
図４〜図６にバッテリパック３１の詳細が示されている。以下の説明では、概ね直方体形を有するバッテリパック３１の６面を、上面３１Ｕ、下面３１Ｄ、前面３１Ｆ、後面３１Ｂ、左側面３１Ｌ、右側面３１Ｒと符号を付して区別する。この明細書では、複数個のバッテリパック３１の取り付け状態（並び）について、それぞれの側面（左側面３１Ｌ又は右側面３１Ｒ）を相互に向かい合わせた姿勢を「横並び姿勢」と言い、それぞれの前後面（前面３１Ｆ又は後面３１Ｂ）を相互に向かい合わせた姿勢を「縦並び姿勢」と言う。
【００３８】
図４〜図６に示すように直方体形状を有するバッテリパック３１の上面３１Ｕには、左右一対のレール受け部３１ａが設けられている。両レール受け部３１ａ間には、正負の端子受け部３１ｂ，３１ｃが配置されている。正負の端子受け部３１ｂ，３１ｃ間には、充電器で充電する際に当該充電器との間で制御信号を送受信するためのコネクタ部３１ｄを備えている。また、バッテリパック３１の上面後部には、ロック爪３１ｅが設けられている。このロック爪３１ｅは上方へ突き出す方向にばね付勢されている。このロック爪３１ｅは、後面に設けたアンロックボタン３１ｆを指先で押し下げ操作することによりばね付勢に抗して下方のアンロック位置に移動させることができる。
【００３９】
図３において白抜き矢印で示すようにバッテリ取り付け部３２に対してバッテリ３１を前側（図示左方）へスライド（平行移動）させつつそのレール受け部３１ａをレール部３２ａに係合させることにより当該バッテリパック３１をバッテリ取り付け部３２に対して機械的に結合することができる。バッテリパック３１がバッテリ取り付け部３２に機械的に結合されると、同時にバッテリ取り付け部３２側の接続端子３２ｂ，３２ｃがバッテリパック３１側の端子受け部３１ｂ，３１ｃに進入して電気的に接続される。
【００４０】
また、バッテリパック３１がバッテリ取り付け部３２に対して機械的に結合されると、ロック爪３１ｅが係合凹部３２ｄ内に弾性的に嵌り込んで当該バッテリパック３１がスライド方向移動不能に固定された取り付け状態にロックされる。この明細書において、スライド取り付け形式のバッテリパック３１とは、その一面（上面）に設けた一対のレール受け部３１ａに、バッテリ取り付け部３２側のレール部３２ａを係合させつつ平行移動させて取り付ける形態のバッテリを指す。
【００４１】
取り付けたバッテリパック３１をバッテリ取り付け部３２から取り外す際には、アンロックボタン３１ｆを押し下げ操作した状態で図３においてバッテリパック３１を後方へ引き抜けばよい。これによりレール受け部３１ａがレール部３２ａから外れ、接続端子３２ｂ，３２ｃが端子受け部３１ｂ，３１ｃから離脱してバッテリパック３１がバッテリ取り付け部３２から取り外される。図１には、バッテリ取り付け部３２に対するバッテリパック３１の取り付け、取り外し方向が白抜き矢印で示されている。
【００４２】
以上のように設けた２つのバッテリ取り付け部３２のそれぞれにバッテリパック３１を取り付けると、両バッテリパック３１は電気的に直列に接続されてその合計電圧である定格電圧３６Ｖを出力する電源となる。２つのバッテリパック３２により出力される定格電圧３６Ｖの電源により電動モータ１１と電磁アクチュエータ１８に対して電力が供給される。
【００４３】
以上説明した第１実施形態に係る打ち込み工具１によれば、電動式の打ち込み機構１０の電源として、２つのバッテリパック３１を取り付けることができるので、従来１つのバッテリパックを電源とする構成に比してより多くの電力を供給することができ、同等の電力であればより長時間にわたって電力供給できるようになる。このように電源の持ちが大幅に長くなるため、バッテリパック３１の充電や交換の頻度を少なくすることができ、これにより当該打ち込み工具１の連続使用時間が長くなってその作業性を高めることができる。
【００４４】
また、第１実施形態によれば、２つのバッテリパック３１を工具本体部２の左右幅方向に横並び姿勢で取り付ける構成であるので、当該打ち込み工具１の機長方向のコンパクト性（前後方向の長さ）を損なうことなく、大電力を供給可能となる。２つのバッテリパック３１の取り付け部位については他の様々な部位に変更することができる。以下、２つのバッテリパック３１の取り付け部位について変更を加えた第２〜第４実施形態について説明する。工具本体部２の打ち込み機構１０等その他の基本的構成については変更を要しないので、同位の符号を用いてその説明を省略する。
【００４５】
図９及び図１０は、２つのバッテリパック３１の取り付け部位について変更を加えた第２実施形態に係る打ち込み工具１が示されている。第２実施形態の場合、ハンドル部３の下部に主として後方に張り出す平板形状のバッテリベース部（第２バッテリベース部３５）が一体に設けられている。この第２バッテリベース部３５の下面に、第１実施形態と同じく２つのバッテリ取り付け部３２が設けられ、そのそれぞれにバッテリパック３１が取り付けられている。
【００４６】
第２実施形態の場合、２つのバッテリ取り付け部３２は、工具本体部２の打ち込み方向（前後方向）に並列状態で配置されている。このため、図１０に示すように２つのバッテリパック３１は、その前部側を工具本体部２の右方（図１０において右方）に向けてスライドさせることによりバッテリ取り付け部３２に取り付けられる。取り付けられた２つのバッテリパック３１は、打ち込み方向（前後方向）に並んだ横並び姿勢で位置している。
【００４７】
係る第２実施形態のバッテリ取り付け部３２によれば、２つのバッテリパック３１が打ち込み方向に横並び姿勢で取り付けられる構成であるので、当該打ち込み工具１の幅方向のコンパクト性（左右方向の長さ）を大きく損なうことなく、大電力を供給可能となる。
【００４８】
図１１及び図１２には、ハンドル部３の左右側部にそれぞれ１つのバッテリパック３１を取り付ける構成とした第３実施形態が示されている。第３実施形態の場合、ハンドル部３の下部にバッテリベース部（第３バッテリベース部３６）が設けられている。第３実施形態の第３バッテリベース部３６は、第１若しくは第２実施形態における第１、第２バッテリベース部３０，３５とは異なって側方へ大きく張り出す平板形状を有していない。図１２に示すように第３実施形態の第３バッテリベース部３６は、ハンドル部３とほぼ同じ太さで当該ハンドル部３の長手方向に延びている。この第３バッテリベース部３６の左右側部にそれぞれ１つのバッテリ取り付け部３２が設けられている。
【００４９】
左側のバッテリ取り付け部３２に対して、バッテリパック３１をその左側面３１Ｌを上側に向け、前面を前方へ向けた横倒し姿勢で前方へスライドさせることにより当該バッテリパック３１を左側のバッテリ取り付け部３２に取り付けることができる。右側のバッテリ取り付け部３２に対して、もう一つのバッテリパック３１をその右側面３１Ｒを上側に向け、前面３１Ｆを前方へ向けた横倒し姿勢で前方へスライドさせることにより当該もう一つのバッテリパック３１を右側のバッテリ取り付け部３２に取り付けることができる。取り付けた２つのバッテリパック３１は、アンロックボタン３１ｆを左方又は右方へ押し下げ操作した状態で後方へスライドさせることによりそれぞれバッテリ取り付け部３２から取り外すことができる。
【００５０】
第３実施形態のバッテリ取り付け部３２によれば、ハンドル部３の下部に設けた第３バッテリベース部３６の左右側部にそれぞれの上面３１Ｕを相互に向かい合わせた横倒し姿勢で取り付けられる。このため、工具本体部２の機長方向及び幅方向のコンパクト性を損なうことなく２つのバッテリパック３１を取り付けることができる。
【００５１】
また、第１又は第２実施形態の場合、複数個のバッテリパック３１を横並び姿勢に取り付ける必要上、第１、第２バッテリベース部３０，３５を左右方向若しくは前後方向（ハンドル部３の長手方向に対して側方）に張り出した状態に設ける必要があるが、第３実施形態によれば、側方へ張り出すのではなく下方（ハンドル部３の長手方向）へ延びる第３バッテリベース部３６を設けた構成となっている。このため、第３実施形態によれば、少なくともバッテリパック３１を取り外した状態におけるハンドル部３の少なくとも側方へのコンパクト性を確保することができる。
【００５２】
図１３〜図１５には、バッテリパック３１の取り付け部位についてさらに変更を加えた第４実施形態が示されている。第４実施形態のバッテリ取り付け部３２は、工具本体部２の左右側部に設けられている。工具本体部２の左側部に１つのバッテリ取り付け部３２が設けられ、右側部に１つのバッテリ取り付け部３２が設けられている。
【００５３】
図１４において下側となる左側のバッテリ取り付け部３２に対して、バッテリパック３１をその左側面３１Ｌを上側に向け、前面３１Ｆを前方へ向けた横倒し姿勢で前方へスライドさせることにより取り付けられる。一方、図１４において上側となる右側のバッテリ取り付け部３２に対しては、もう一つのバッテリパック３１をその右側面３１Ｒを上側に向け、前面３１Ｆを同じく前方へ向けた横倒し姿勢で前方へスライドさせることにより取り付けられる。それぞれ、アンロックボタン３１ｆを下面側へ押し下げて後方へスライドさせることにより取り外すことができる。
【００５４】
第４実施形態のバッテリ取り付け部３２によれば、工具本体部２の左右側部にそれぞれ１つのバッテリパック３１が取り付けられる。図１３に示すように２つのバッテリパック３２は、それぞれの上面３１Ｕを相互に向かい合わせた横倒し姿勢で取り付けられ、それぞれ側方から見て打ち込み軸線Ｊ上に上下均等に取り付けられる。また、図１４に示すように２つのバッテリパック３１は、打ち込み軸線Ｊに対して左右対称に取り付けられる。このため、第４実施形態によれば、比較的重量の大きなバッテリパック３１を工具本体部２の左右側部に取り付けることにより、当該工具本体部２の左右の重量バランスを崩すことなく、打ち込み時の反動を抑制することができる。
【００５５】
図１６及び図１７には、２つのバッテリパック３１をマガジン５に取り付ける構成とした第５実施形態が示されている。マガジン５は、多数本の打ち込み具ｎを並列させて平板形状に仮結合した連結打ち込み具Ｎ（図７，８参照）を装填可能としたもので、その外観は概ね帯板形状を有しており、打ち込みノーズ部４とハンドル部３の先端部との間に跨って装備されている。
【００５６】
マガジン５に装填された連結打ち込み具Ｎは、ばねの付勢力により打ち込みノーズ部４側に向けてピッチ送りされる。図１６及び図１７において、連結打ち込み具Ｎの送り方向が白抜き矢印（１）で示されている。連結打ち込み具Ｎの送り方向先端側の１本の打ち込み具が打ち込みノーズ部４の打ち込み通路内に位置され、これが打撃ドライバ１５で打撃されて被打ち込み材Ｗに打ち込まれる。打ち込み後、打撃ドライバ１５が打ち込み通路内から退出すると、連結打ち込み具Ｎがばねの付勢力により打ち込み具ｎの１本分だけピッチ送りされて次の打ち込み具ｎが打ち込み通路内に供給される。
【００５７】
第５実施形態では、このマガジン５の右側面に２つのバッテリ取り付け部３２が設けられている。２つのバッテリ取り付け部３２は、連結打ち込み具Ｎの送り方向に沿って相互に縦並びの状態（直列状態）に配置されている。図１６及び図１７において白抜き矢印（２）で示すように２つのバッテリ取り付け部３２に対してバッテリパック３１を送り方向にスライドさせることにより取り付けることができる。送り方向前側のバッテリパック３１を先に取り付け、その後に送り方向後ろ側のバッテリパック３１を取り付けることができる。逆に、送り方向後ろ側のバッテリパック３１を図１６及び図１７において白抜き矢印（３）で示すように反送り方向にスライドさせることによりバッテリ取り付け部３２から取り外すことができる。送り方向後ろ側のバッテリパック３１を先に白抜き矢印（３）方向にスライドさせて取り外し、その後に送り方向前側のバッテリパック３１を同じく白抜き矢印（３）方向にスライドさせて取り外すことができる。２つのバッテリパック３１は、送り方向前側のバッテリパック３１の後面３１Ｂに対して、送り方向後ろ側のバッテリパック３１の前面３１Ｆを向かい合わせた縦並び姿勢に取り付けられる。
【００５８】
以上説明した各実施形態にはさらに変更を加えることができる。例えば、出力電圧が１８Ｖ仕様のバッテリパック３１を２つ取り付ける構成を例示したが、より小電圧仕様あるいは大電圧仕様のバッテリパックを３つあるいは４つ以上取り付けてその合計電圧を電源とする構成としてもよい。また、例示した各実施形態のバッテリ取り付け部を組み合わせて複数個のバッテリパックを取り付ける構成としてもよい。
【００５９】
また、フライホイール式の打ち込み機構１０を例示したが、電動モータを駆動源とし、圧縮ばねの付勢力を打撃力とする形態のばね式の打ち込み機構、あるいは電動モータを駆動源とし、圧縮エアのエア力を打撃力とする形態の圧縮エア式の打ち込み機構を有する打ち込み工具について、例示した複数バッテリの取り付け形態を適用することができる。
【００６０】
さらに、複数個のバッテリパック３１の取り付け部位、取り付け方向については、さらに変更を加えることができる。例えば、第１実施形態では、２つのバッテリパック３１を左右方向に横並び姿勢で取り付ける構成としたが、左側のバッテリパック３１を右方へ向けてスライドさせて取り付け、右側のバッテリパック３１を左方へ向けてスライドさせて取り付けて、両バッテリパック３１の前面３１Ｆ同士を相互に向かい合わせた左右方向に縦並び姿勢で取り付ける構成としてもよい。
【００６１】
また、第２実施形態では、２つのバッテリパック３１を前後方向（打ち込み軸線Ｊ方向）に横並び姿勢に取り付ける構成としたが、それぞれの前面３１Ｆを前方へ向けた縦並び姿勢に取り付ける構成としてもよい。
【００６２】
さらに、第３実施形態では、２つのバッテリパック３１を取り付ける向きについて、上面３１Ｕを相互に向かい合わせた横倒し姿勢であって、打ち込み方向（工具本体部２の機長方向Ｊ）に沿って横向きにスライドさせることにより取り付け、取り外しする構成としたが、同じく上面３１Ｕを相互に向かい合わせた横倒し姿勢であって、ハンドル部３の長手方向に沿った縦向きでスライドさせることにより取り付け、取り外しする構成としてもよい。
【００６３】
また、第４実施形態では、２つのバッテリパック３１の取り付け、取り外し方向を前後方向とする横向きの横倒し姿勢を例示したが、下方へ向けてスライドさせて取り付け、上方へスライドさせて取り外す縦向きの横倒し姿勢に取り付ける構成としてもよい。
【００６４】
また、第５実施形態では、２つのバッテリパック３１の前面３１Ｆをそれぞれ連結打ち込み具Ｎの送り方向に向けた縦並び姿勢で取り付ける構成を例示したが、それぞれ前面３１Ｆを前方（打ち込み方向）へ向けた送り方向に横並び姿勢で取り付ける構成としてもよい。
【００６５】
さらに、バッテリパック３１として、その上面３１Ｕをバッテリ取り付け部３２に対して機械的及び電気的に結合するスライド取り付け形式のバッテリパックを例示したが、その他例えばスティック形状を有する差し込み式のバッテリパックについてもこれを複数本取り付けて電源とする構成としてもよい。
【００６６】
また、工具本体部２の上面等使用者の目視しやすい部位に、バッテリパック３１の残容量表示等を行うための表示部を設けることができる。
【００６７】
さらに、スイッチレバー６とは別に電動モータ１１の起動スイッチを設けた打ち込み工具１を例示したが、スイッチレバーを軽く引き操作すると電動モータ１１が起動し、そのままさらに引き操作することにより電磁アクチュエータ１８が起動して打ち込み動作がなされる構成としてもよい。これにより打ち込み待機状態における電動モータ１１の起動時間を短くしてバッテリパック３１の電力消費を抑制することができる。
【００６８】
また、例示した各実施形態では、出力電圧１８Ｖ仕様のバッテリパック３１を２つ電気的に直列に接続して合計３６Ｖの出力電圧を出力する構成を例示したが、２つのバッテリパック３１を電気的に並列に接続して１８Ｖを出力する構成としてもよい。この場合には、電源の持ちをより一層長くして充電若しくは交換の頻度をさらに少なくすることができ、ひいては当該打ち込み工具１の作業性を一層高めることができる。
【符号の説明】
【００６９】
１…打ち込み工具
Ｊ…打ち込み軸線
ｎ…打ち込み具、Ｎ…連結打ち込み具
２…工具本体部
３…ハンドル部
４…打ち込みノーズ部
５…マガジン
６…スイッチレバー
１０…打ち込み機構
１１…電動モータ
１２…駆動ホイール
１３…ベルト
１４…フライホイール
１５…打撃ドライバ
１６…案内部材
１７…駆動ローラ
１８…電磁アクチュエータ
１９…受けローラ
３０…第１バッテリベース部（第１実施形態）
３１…バッテリパック
３１ａ…レール受け部、３１ｂ，３１ｃ…端子受け部、３１ｄ…コネクタ部
３１ｅ…ロック爪、３１ｆ…アンロックボタン
３１Ｕ…上面、３１Ｄ…下面、３１Ｆ…前面、３１Ｂ…後面
３１Ｌ…左側面、３１Ｒ…右側面
３２…バッテリ取り付け部
３２ａ…レール部、３２ｂ，３２ｃ…接続端子、３２ｄ…係合凹部
３５…第２バッテリベース部（第２実施形態）
３６…第３バッテリベース部（第３実施形態）
【図１】
2016203292.tif 000003
【図２】
2016203292.tif 000004
【図３】
2016203292.tif 000005
【図４】
2016203292.tif 000006
【図５】
2016203292.tif 000007
【図６】
2016203292.tif 000008
【図７】
2016203292.tif 000009
【図８】
2016203292.tif 000010
【図９】
2016203292.tif 000011
【図１０】
2016203292.tif 000012
【図１１】
2016203292.tif 000013
【図１２】
2016203292.tif 000014
【図１３】
2016203292.tif 000015
【図１４】
2016203292.tif 000016
【図１５】
2016203292.tif 000017
【図１６】
2016203292.tif 000018
【図１７】
2016203292.tif 000019